(57)【要約】【課題】キャップを取り外す際の作業性を改善する。【解決手段】コネクタＳは、並列方向で互いに結合される第１及び第２ハウジング１０，４０と、両ハウジング１０，４０の前面から突出する雄タブの周りを包囲して夫々のハウジング１０，４０に着脱可能に取り付けられる第１及び第２キャップ７０，１００とを備える。第１キャップ７０の側面には、第２キャップ１００の引き抜き方向でこの第２キャップ１００と係合可能な第１係合部８１Ｆ，８１Ｒが設けられ、第２キャップ１００の側面には、第１キャップ７０の引き抜き方向でこの第１キャップ７０と係合可能な第２係合部１１１Ｆ，１１１Ｒが設けられている。【選択図】図１
2009117048.tif 000002
【特許請求の範囲】
【請求項１】
並列方向で互いに結合される第１及び第２ハウジングと、
前記両ハウジングの前面から突出する雄タブの周りを包囲して夫々のハウジングに着脱可能に取り付けられる第１及び第２キャップとを備え、
前記第１キャップの側面には、前記第２キャップの引き抜き方向でこの第２キャップと係合可能な第１係合部が設けられ、
前記第２キャップの側面には、前記第１キャップの引き抜き方向でこの第１キャップと係合可能な第２係合部が設けられていることを特徴とするコネクタ。
【請求項２】
前記第１係合部と前記第２係合部は、前記両キャップの引き抜き方向で互いに対向して配置され、前記両キャップのいずれか一方を引き抜き操作した場合に、双方の対向面同士を突き合わせて当接するようになっていることを特徴とする請求項１に記載のコネクタ。
【請求項３】
前記両ハウジングは、互いの側面同士を摺接させつつ前記並列方向と直交する高さ方向にスライドして結合されるものであり、
前記第１係合部と前記第２係合部は、前記両ハウジングの結合過程で互いに非干渉とされ、前記両ハウジングの結合時に前記両キャップの引き抜き方向で互いに近接または当接して配置されることを特徴とする請求項２に記載のコネクタ。
【発明の詳細な説明】
【技術分野】
【０００１】
本発明は、コネクタに関する。
【背景技術】
【０００２】
特許文献１に記載のコネクタは、ハウジングとこのハウジングに取り付けられるキャップを備え、キャップの非装着時にはハウジングの前面から突出する雄タブが露出状態で配置され、キャップの装着時には雄タブの周りがキャップによって保護状態で覆われるようになっている。このキャップは、例えば、コネクタの搬送時では雄タブを保護するべくハウジングに取り付けられた状態とされ、ハウジングが相手コネクタと嵌合されるに先立ち、ハウジングから取り外されるようになっている。この種のコネクタは、一対のハウジングを並列方向で互いに結合させる分割コネクタに用いられることが多い。
【特許文献１】特開２０００−５８１９０公報
【発明の開示】
【発明が解決しようとする課題】
【０００３】
上記分割コネクタの場合、互いに結合状態にあるキャップ付きのハウジングからキャップを取り外そうとすると、各ハウジングに対応する夫々のキャップを個別に取り外さねばならず、作業が面倒であるという事情がある。
【０００４】
本発明は上記のような事情に基づいて完成されたものであって、キャップを取り外す際の作業性を改善することを目的とする。
【課題を解決するための手段】
【０００５】
上記の目的を達成するための手段として、請求項１の発明は、並列方向で互いに結合される第１及び第２ハウジングと、前記両ハウジングの前面から突出する雄タブの周りを包囲して夫々のハウジングに着脱可能に取り付けられる第１及び第２キャップとを備え、前記第１キャップの側面には、前記第２キャップの引き抜き方向でこの第２キャップと係合可能な第１係合部が設けられ、前記第２キャップの側面には、前記第１キャップの引き抜き方向でこの第１キャップと係合可能な第２係合部が設けられている構成としたところに特徴を有する。
【０００６】
請求項２の発明は、請求項１に記載のものにおいて、前記第１係合部と前記第２係合部は、前記両キャップの引き抜き方向で互いに対向して配置され、前記両キャップのいずれか一方を引き抜き操作した場合に、双方の対向面同士を突き合わせて当接するようになっているところに特徴を有する。
【０００７】
請求項３の発明は、請求項２に記載のものにおいて、前記両ハウジングは、互いの側面同士を摺接させつつ前記並列方向と直交する高さ方向にスライドして結合されるものであり、前記第１係合部と前記第２係合部は、前記両ハウジングの結合過程で互いに非干渉とされ、前記両ハウジングの結合時に前記両キャップの引き抜き方向で互いに近接または当接して配置されるところに特徴を有する。
【発明の効果】
【０００８】
＜請求項１の発明＞
結合状態にあるキャップ付きの両ハウジングからキャップを取り外すに際し、第１キャップを引き抜くと、この第１キャップに第２係合部が係合することによって第２キャップも同時に引き抜かれ、第２キャップを引く抜くと、この第２キャップに第１係合部が係合することによって第１キャップも同時に引き抜かれる。したがって、夫々のキャップを個別に取り外さなくてもよく、作業性が良好となる。
【０００９】
＜請求項２の発明＞
両キャップの引き抜き時には第１及び第２係合部の双方の対向面同士が突き合って当接するに過ぎないから、引き抜き後の両キャップを簡単に分離することができる。この場合、第１及び第２係合部がそれぞれ相手側のキャップの引き抜き方向で当接するから、両キャップに第１及び第２係合部以外の係合部位を設ける必要がなく、構成を簡略化できる。
【００１０】
＜請求項３の発明＞
第１係合部と第２係合部が両ハウジングの結合過程で互いに非干渉とされるから、両ハウジングの円滑なスライド動作が保障される。また、第１係合部と第２係合部が両ハウジングの結合時に両キャップの引き抜き方向で互いに近接または当接して配置されるから、両キャップのいずれか一方を引き抜くに伴い、他方を迅速かつ確実に追従して引き抜くことができる。
【発明を実施するための最良の形態】
【００１１】
＜実施形態１＞
本発明の実施形態１を図１ないし図１９によって説明する。本実施形態のコネクタＳは、互いに並列に結合される合成樹脂製の第１及び第２ハウジング１０，４０と、各ハウジング１０，４０に着脱可能に取り付けられる合成樹脂製の第１及び第２キャップ７０，１００とを備えている。なお、以下の説明において、前後方向は相手コネクタ（図示せず）との嵌合離脱方向及び両キャップ１０，１００の着脱方向と同じであり、高さ方向は相手コネクタとの嵌合離脱方向及び両ハウジング１０，４０の並列方向の両方向と直交する方向に同じである。
【００１２】
第１ハウジング１０は、図１０及び図１１に示すように、第２ハウジング４０よりも大型であって幅方向に長く形成され、その内部に、雄端子金具を収容可能な複数のキャビティ１１を有している。第１ハウジング１０の側面（結合状態において第２ハウジング４０の側面との対向面）には、図５に示すように、高さ方向に沿って延びる第１あり部１２と第１あり溝１３が前後に凹凸状に並んで設けられている。第２ハウジング４０は第１あり部１２と第１あり溝１３に沿って第１ハウジング１０の側面にスライドして装着可能となっている。第１あり溝１３の上端開口は前後に延びる梁部１４によって閉止されており、この梁部１４によって第１ハウジング１０の上方からの装着動作が規制されるようにしてある。
【００１３】
また、第１ハウジング１０の側面の前後両端には、両ハウジング１０，４０を離脱規制状態に保持する第１ハウジングロック部１５，１６が設けられている。後側の第１ハウジングロック部１５は、第１ハウジング１０の後端下部で側方に突出する形態とされ、前側の第１ハウジングロック部１６は、第１ハウジング１０の前端下部で側方に突出する形態とされる。さらに、第１ハウジング１０の側面の前後両端には、第１ハウジングロック部１５，１６よりも上方に、当接部１７，１８が設けられている。後側の当接部１７は、梁部１４から真直ぐ垂下する形態とされ、その下縁が第１ハウジング１０側に当接可能とされる。前側の当接部１８は、第１ハウジング１０の前端上部から側方に突出する形態とされ、その突出端は第１あり部１２の突出端と幅方向についてほぼ同じ位置に及んでいる。
【００１４】
そして、第１ハウジング１０の側面の前端上部には、前側の当接部１８から上方に延びて第１ハウジング１０の上端に至る第１キャップロック部１９が側方に突出して設けられている。第１キャップロック部１９の後端は、キャップ側の第１キャップロック部７６によって引っ掛け係止される第１係止縁２０とされ、高さ方向にほぼ垂直に切り立っている。この第１キャップロック部１９の突出量は前側の当接部１８の突出量より小さく抑えられ、第１キャップロック部１９と前側の当接部１８との間が段違いに連なっており、この段差部分に、キャップ側の第１キャップロック部７６の進入を許容する第１キャップ進入溝２１が設けられている。また、第１ハウジング１０の側面の前端下部は、第１キャップロック部１９及び前側の当接部１８より下方で一段落ちるように段違いに連なって、第２キャップロック部４７，１０６との干渉を回避する第１逃がし部２２が設けられている。第１逃がし部２２の凹み量は、撓み変形するキャップ側の第２キャップロック部１０６の撓み変形量を加味して設定されている。
【００１５】
第１ハウジング１０のもう一方の側面（第２ハウジング４０の側面との対向面とは反対側の面）の略上半部は側方に膨出する形態とされ、ここに、前後方向に延びる対向第１キャップロック部２３が設けられている。対向第１キャップロック部２３の後縁は、キャップ側の対向第１キャップロック部７９によって引っ掛け係止される対向第１係止縁２４とされる。
【００１６】
第２ハウジング４０は、結合状態では正面から見ると向かって左側に配置され、図１２及び図１３に示すように、第１ハウジング１０よりもキャビティ４１の個数が少なく、前後方向に細長い形状となっている。そして、第２ハウジング４０の側面（結合状態において第１ハウジング１０の側面との対向面）には、図８に示すように、高さ方向に沿って延びる第２あり部４２と第２あり溝４３が前後に凹凸状に並んで設けられている。第２ハウジング４０の側面の上端には、第２あり部４２の上端を切欠して第１ハウジング１０の梁部１４を受け入れ可能な梁受部４４が幅方向に同一高さで設けられている。
【００１７】
第２ハウジング４０の側面の前後両端には、両ハウジング１０，４０を離脱規制状態に保持する第２ハウジングロック部４５，４６が設けられている。後側の第２ハウジングロック部４５は、第２ハウジング４０の後端下部で後側の第１ハウジングロック部１５より大きい突出量をもって側方に突出する形態とされ、前側の第２ハウジングロック部４６は、第２ハウジング４０の前端下部で前側の第１ハウジングロック部１６より大きい突出量をもって側方に突出する形態とされる。そして、前側の第２ハウジングロック部４６は、高さ方向に一対の係止爪４６Ｕ，４６Ｌによって構成され、結合状態では、両係止爪４６Ｕ，４６Ｌ間に前側の第１ハウジングロック部１６が嵌合するようになっている。
【００１８】
ここで、両ハウジング１０，４０の組付け過程では、第２ハウジングロック部４５，４６が第１ハウジングロック部１５，１６と干渉して撓み変形され、両ハウジング１０，４０の組付け完了時（結合時（合体時））には、第２ハウジングロック部４５，４６が第１ハウジングロック部１５，１６を乗り越えて弾性復帰し、これにより、第２ハウジングロック部４５，４６が第１ハウジングロック部１５，１６に抜け止め係止されるようになっている。
【００１９】
そして、第２ハウジング４０の側面の前端下部には、前側の第２ハウジングロック部４６から垂下して第２ハウジング４０の下端に至る第２キャップロック部４７が側方に突出して設けられている。第２キャップロック部４７の後端は、キャップ側の第２キャップロック部１０６によって引っ掛け係止される第２係止縁４８とされ、高さ方向にほぼ垂直に切り立っている。この第２キャップロック部４７の突出量は前側の第２ハウジングロック部４６の突出量より小さく抑えられ、第２キャップロック部４７と前側の第２ハウジングロック部４６との間が段違いに連なっており、この段差部分に、キャップ側の第２キャップロック部１０６の進入を許容する第２キャップ進入溝４９が設けられている。また、第２ハウジング４０の側面の前端上部は、前側の第２ハウジングロック部４６及び第２キャップロック部４７の上方で一段落ちるように段違いに連なって、第１キャップロック部１９，７６との干渉を回避する第２逃がし部５０が設けられている。第２逃がし部５０の凹み量は、撓み変形するキャップ側の第１キャップロック部７６の撓み変形量を加味して設定されている。
【００２０】
第２ハウジング４０のもう一方の側面（第１ハウジング１０との対向面とは反対側の面）の略上半部は側方に膨出する形態とされ、ここに、前後方向に延びる対向第２キャップロック部５１が設けられている。対向第２キャップロック部５１の後縁は、キャップ側の対向第２キャップロック部１０９によって引っ掛け係止される対向第２係止縁５２とされる。
【００２１】
第１キャップ７０は、図１４ないし図１６に示すように、第１ハウジング１０よりも一回り大きい横長の筒状をなし、第１ハウジング１０の前端部に外嵌される第１取付部７１と、第１ハウジング１０の前面より前方に突出する第１フード部７２とを備えている。第１フード部７２は、第１ハウジング１０の前面から突出する雄タブ（図示せず）の周囲を全周に亘って包囲する形態であり、雄タブを保護する役割を果たす。第１フード部７２のうち相手側の第２フード部１０２と少し隙間をあけて対向する第１フード対向壁７３は、第１フード部７２の他の周壁と比べて薄肉とされ、高さ方向に沿って配置されている。
【００２２】
第１取付部７１には、第２キャップロック部４７，１０６及び前側の第２ハウジングロック部４６と対応する側壁下部を切り欠いて、キャップ側の第１逃がし部７４が設けられている。そして、第１取付部７１は、第１逃がし部７４を除いて第１ハウジング１０の前端部の周りを当接可能に包囲する形態となっている。第１取付部７１のうち第１逃がし部７４の上方には、第１ハウジング１０の前方に配されて、結合状態では相手側の第２当接リブ１０５と高さ方向で当接する第１当接リブ７５が設けられている。第１当接リブ７５は、第１フード対向壁７３の側外面より側方に突出する形態であって、第１フード対向壁７３の壁厚より厚肉とされる。
【００２３】
また、第１取付部７１の側面（結合状態において第２ハウジング４０の側面との対向面）のうち第１当接リブ７５より上方には、第１当接リブ７５との間に段違いに連なって後方へ延びるキャップ側の第１キャップロック部７６が設けられている。キャップ側の第１キャップロック部７６は、第１当接リブ７５の突端側に連なって第１キャップ７０の上端に至り、内面側の凹みによって薄肉となっている。キャップ側の第１キャップロック部７６の後端側内面には、前方から窓部を通して視認可能な第１係止突部７７が内向きに突出して設けられている。第１係止突部７７の後面は、第１キャップ７０の取り外し方向でテーパ状に傾斜しており、第１キャップ７０を第１ハウジング１０から容易に取り外し可能となすセミロックとなっている。第１ハウジング１０への取付過程では、第１係止突部７７がハウジング側の第１キャップロック部１９と干渉してキャップ側の第１キャップロック部７６が外側に撓み変形し、第１ハウジング１０への取付完了時には、第１係止突部７７がハウジング側の第１キャップロック部１９を乗り越えてキャップ側の第１キャップロック部７６が弾性復帰し、これにより、第１係止突部７７がハウジング側の第１キャップロック部１９の第１係止縁２０に弾性的に係止するようになっている。
【００２４】
第１取付部７１のもう一方の側面（第２ハウジング４０の側面との対向面とは反対側の面）は、後方へ長く延びて配置され、その上部に、キャップ側の対向第１キャップロック部７９が膨出して設けられている。キャップ側の対向第１キャップロック部７９の後端内面には、ハウジング側の対向第１キャップロック部２３の対向第１係止縁２４に弾性係止可能な対向第１係止突部８０が内向きに突出して設けられている。
【００２５】
また、第１フード部７２の第１フード対向壁７３には、第２キャップ１００と係合可能な第１係合部８１Ｆ，８１Ｒが設けられている。第１係合部８１Ｆ，８１Ｒは、第１フード対向壁７３の前半部にあって全部で３つ配置されており、前側に位置する上下一対の前側第１係合部８１Ｆと、後側に位置する１つの後側第１係合部８１Ｒとからなる。これら前側第１係合部８１Ｆと後側第１係合部８１Ｒは、前後方向及び高さ方向から見て互いに重なり合わない位置に配されている。詳しくは前側第１係合部８１Ｆは、全体として高さ方向に延びる縦リブ８１ＦＬとして構成され、上方の前側第１係合部８１Ｆの上端は第１フード部７２の上端に及び、下方の前側第１係合部８１Ｆの下端は第１フード部７２の下端に及んでいる。一方、後側第１係合部８１Ｒは、高さ方向に延びる縦リブ８１ＲＬとその上端に連なって後方に延びる横リブ８１ＲＷとで全体としてＬの字をなし、縦リブ８１ＲＬの高さ寸法は、前側第１係合部８１Ｆの個々の高さ寸法より大きく、かつ、前側第１係合部８１Ｆの双方を合わせた高さ寸法より小さく設定されている。そして、後側第１係合部８１Ｒにおける縦リブ８１ＲＬは横リブ８１ＲＷより厚肉とされる。
【００２６】
第２キャップ１００は、図１７ないし図１９に示すように、第２ハウジング４０よりも一回り大きい前後方向に細長い筒状をなし、第２ハウジング４０の前端部に外嵌される第２取付部１０１と、第２ハウジング４０の前面より前方に突出する第２フード部１０２とを備えている。第２フード部１０２は、第２ハウジング４０の前面から突出する雄タブ（図示せず）の周囲を全周に亘って包囲する形態であり、雄タブを保護する役割を果たす。第２フード部１０２のうち相手側の第１フード部７２と少し隙間をあけて対向する第２フード対向壁１０３は、第２フード部１０２の他の周壁と比べて薄肉とされ、高さ方向に沿って配置されている。
【００２７】
第２取付部１０１には、第１キャップロック部１９，７６及び前側の当接部１８と対応する側壁上部を切り欠いて、キャップ側の第２逃がし部１０４が設けられている。そして、第２取付部１０１は、第２逃がし部１０４を除いて第２ハウジング４０の前端部の周りを当接可能に包囲する形態となっている。第２取付部１０１のうち第２逃がし部１０４の下方には、第２ハウジング４０の前方に配され、相手側の第１当接リブ７５と高さ方向で当接可能な第２当接リブ１０５が設けられている。第２当接リブ１０５は、第２フード対向壁１０３の側外面より側方に突出する形態であって、第２フード対向壁１０３の壁厚より厚肉とされる。
【００２８】
また、第２取付部１０１の側面（第１ハウジング１０の側面との対向面）のうち第２当接リブ１０５より下方には、第２当接リブ１０５との間に段違いに連なって後方へ延びるキャップ側の第２キャップロック部１０６が設けられている。キャップ側の第２キャップロック部１０６は、第２当接リブ１０５の突端側に連なって第２キャップ１００の下端に至り、内面側の凹みによって薄肉となっている。キャップ側の第２キャップロック部１０６の後端側内面には、前方から窓部を通して視認可能な第２係止突部１０７が内向きに突出して設けられている。第２係止突部１０７の後面は、第２キャップ１００の取り外し方向でテーパ状に傾斜しており、第２キャップ１００を第１ハウジング１０から容易に取り外し可能となすセミロックとなっている。第２ハウジング４０への取付過程では、第２係止突部１０７がハウジング側の第２キャップロック部４７と干渉してキャップ側の第２キャップロック部１０６が外側に撓み変形し、第２ハウジング４０への取付完了時には、第２係止突部１０７がハウジング側の第２キャップロック部４７を乗り越えてキャップ側の第２キャップロック部１０６が弾性復帰し、これにより、第２係止突部１０７がハウジング側の第２キャップロック部４７の第２係止縁４８に弾性的に係止するようになっている。
【００２９】
また、第２取付部１０１のもう一方の側面（第１ハウジング１０の側面との対向面とは反対側の面）は、後方へ長く延びて配置され、その上部に、キャップ側の対向第２キャップロック部１０９が膨出して設けられている。キャップ側の対向第２キャップロック部１０９の後端内面には、ハウジング側の対向第２キャップロック部５１の対向第２係止縁５２に弾性係止可能な対向第２係止突部１１０が内向きに突出して設けられている。
【００３０】
また、第２フード部１０２の第２フード対向壁１０３には、第１キャップ７０と係合可能な第２係合部１１１Ｆ，１１１Ｒが設けられている。第２係合部１１１Ｆ，１１１Ｒは、第２フード対向壁１０３の前半部にあって全部で３つ配置されており、前側に位置する上下一対の前側第２係合部１１１Ｆと、後側に位置する１つの後側第２係合部１１１Ｒとからなる。これら前側第２係合部１１１Ｆと後側第２係合部１１１Ｒは、前後方向及び高さ方向から見て互いに重なり合わない位置に配されている。詳しくは前側第２係合部１１１Ｆは、全体として高さ方向に延びる縦リブ１１１ＦＬとして構成され、上方の前側第２係合部１１１Ｆの上端は第２フード部１０２の上端に及び、下方の前側第２係合部１１１Ｆの下端は第２フード部１０２の下端に及んでいる。一方、後側第２係合部１１１Ｒは、高さ方向に延びる縦リブ１１１ＲＬとその下端に連なって前方に延びる横リブ１１１ＲＷとで全体としてＬの字をなし、縦リブ１１１ＲＬの高さ寸法は、前側第２係合部１１１Ｆの個々の高さ寸法より大きく、かつ、前側第２係合部１１１Ｆの双方を合わせた高さ寸法より小さく設定されている。そして、後側第２係合部１１１Ｒにおける縦リブ１１１ＲＬは横リブ１１１ＲＷより厚肉とされる。
【００３１】
ここで、前側第２係合部１１１Ｆと前側第１係合部８１Ｆは、夫々の高さ寸法を等しくして設定され、結合状態において前後方向で互いに近接または当接して並び合う。また、後側第２係合部１１１Ｒと後側第１係合部８１Ｒは、結合状態において前後方向及び高さ方向で互いに近接または当接して並び合い、高さ方向の中央点３０（図９を参照）を中心として１８０度回転させた場合に互いに重なり合う位置に配される。そして、両ハウジング１０，４０の結合状態では、図９に示すように、両ハウジング１０，４０の高さ方向の両端部に、前側第１係合部８１Ｆと前側第２係合部１１１Ｆとによって方形の係合領域ＦＧが構成され、これより後方でかつ両ハウジング１０，４０の高さ方向の中央部に、後側第１係合部８１Ｒと後側第２係合部１１１Ｒとによって前側の係合領域ＦＧより縦長とされる方形の係合領域ＦＲが構成されることとなる。
【００３２】
次に、本実施形態のコネクタＳの作用を説明する。  
搬送時等で雄タブを保護する必要があるとき、第１ハウジング１０に第１キャップ７０を取り付け、第２ハウジング４０に第２キャップ１００を取り付ける。この場合、第１ハウジング１０と第１キャップ７０における第１キャップロック部１９，７６を正対させた状態で第１ハウジング１０に第１キャップ７０を嵌め付ける。すると、キャップ側の第１キャップロック部７６がハウジング側の第１キャップロック部１９を乗り越え、キャップ側の第１キャップロック部７６の第１係止突部７７がハウジング側の第１キャップロック部１９の第１係止縁２０を弾性係止する。また、これと同じ動作でかつほぼ同じタイミングでキャップ側の対向第１キャップロック部７９の対向第１係止突部８０が対向第１係止縁２４を弾性係止する。これにより、図３ないし図５に示すように、第１キャップ７０が第１ハウジング１０に抜け止め状態で取り付けられる。
【００３３】
上記と同様に、キャップ側の第２キャップロック部１０６がハウジング側の第２キャップロック部４７を乗り越え、キャップ側の第２キャップロック部１０６の第２係止突部１０７がハウジング側の第２キャップロック部４７の第２係止縁４８を弾性係止する。また、これと同じ動作でかつほぼ同じタイミングでキャップ側の対向第２キャップロック部１０９の対向第２係止突部１１０が対向第２係止縁５２を弾性係止する。これにより、図６ないし図９に示すように、第２キャップ１００が第２ハウジング４０に抜け止め状態で取り付けられる。
【００３４】
続いて、両ハウジング１０，４０をキャップを付けたまま合体させる。この合体に際し、第１ハウジング１０を第２ハウジング４０より相対的に上方に位置させ、その状態から第２あり溝４３に第１あり部１２を進入して係合させるとともに、第１あり溝１３に第２あり部４２を進入して係合させる。すると、両ハウジング１０，４０が互いの側面同士を摺接させつつスライドされる。両ハウジング１０，４０が正規の結合位置に至ると、第１ハウジングロック部１５，１６が第２ハウジングロック部４５，４６を乗り越え、互いに抜け方向で弾性的に係止し合うとともに、梁部１４が梁受部４４に嵌合し、かつ、当接部１７，１８に前後の第２ハウジングロック部４５，４６が当接可能に対向して配置され、さらに、第１キャップ７０の第１当接リブ７５の下端に第２キャップ１００の第２当接リブ１０５の上端が突き当たり、これらによって両ハウジング１０，４０がこの結合位置に移動規制状態で保持される。
【００３５】
上記の場合、高さ方向の上側では、第２逃がし部５０，１０４が第１キャップロック部１９，７６と幅方向で対向しつつもこの第１キャップロック部１９，７６から離間して配置され、高さ方向の下側では、第１逃がし部２２，７４が第２キャップロック部４７，１０６と幅方向で対向しつつもこの第２キャップロック部４７，１０６から離間して配置される。そして、第１キャップロック部１９，７６と第２キャップロック部４７，１０６は幅方向で重なる位置関係にあり、正面から見ると第１キャップロック部１９，７６と第２キャップロック部４７，１０６が高さ方向に段違いに並んで配置されることとなる。この状態は、第１及び第２フード対向壁７３、１０３との間から視認可能である。
【００３６】
また、両ハウジング１０，４０が結合状態にあるときには、図９に示すように、前側第１係合部８１Ｆの直前方に前側第２係合部１１１Ｆが配置され、後側第１係合部８１Ｒの直後方でかつ直下方に後側第２係合部１１１Ｒが配置される。詳しくは、前側第１係合部８１Ｆの前面と前側第２係合部１１１Ｆの後面が近接または当接して配置され、後側第１係合部８１Ｒの縦リブ８１ＲＬの後面と後側第２係合部１１１Ｒの縦リブ１１１ＲＬの前面が近接または当接して配置され、後側第１係合部８１Ｒの横リブ８１ＲＷの下面と後側第２係合部１１１Ｒの縦リブ１１１ＲＬの上面が近接または当接して配置され、後側第２係合部１１１Ｒの横リブ１１１ＲＷの上面と後側第１係合部８１Ｒの縦リブ８１ＲＬの下面が近接または当接して配置されることとなる。したがって、両キャップ７０，１００は、第１係合部８１Ｆ，８１Ｒと第２係合部１１１Ｆ，１１１Ｒによって前後方向及び高さ方向について相手側と係止し合う位置関係にあり、いずれか一方の変位動作に他方が追従変位することが可能となっている。
【００３７】
ここで、相手コネクタとの嵌合に先立ち、両ハウジング１０，４０を合体させたまま、第１ハウジング１０から第１キャップ７０を取り外す。第１キャップ７０を前方へ引っ張ると、キャップ側の第１キャップロック部７６が第２逃がし部５０，１０４側へ弾性撓みして第１係止突部７７が第１係止縁２０から離間し、さらにキャップ側の第１キャップロック部７６が第１キャップ進入溝２１を通って前方へ引き抜かれる。また、これとほぼ同じタイミングで対向第１キャップロック部７９の対向第１係止突部８０も対向第１係止縁２４から離間される。したがって、第１キャップ７０に前方への引っ張り力を付与するだけで、第１キャップ７０を第１ハウジング１０から簡単に取り外すことができる。
【００３８】
また、第１キャップ７０を前方(図９に示す矢印方向）へ引っ張ると、前側第１係合部８１Ｆが前側第２係合部１１１Ｆと双方の対向面（前側第１係合部８１Ｆの前面と前側第２係合部１１１Ｆの後面）同士を対面状に突き合わせるようにして干渉し、さらなる第１キャップ７０の引き抜き動作に伴い、第２キャップ１００が前側第１係合部８１Ｆに押動されて引き抜かれる。したがって、第１キャップ７０を引き抜けば、これに連動して第２キャップ１００も同時に引き抜かれる。
【００３９】
上記と同様に、第２キャップ１００を前方へ引っ張ると、図１１に示すように、キャップ側の第２キャップロック部１０６が第１逃がし部２２，７４側へ弾性撓みして第２係止突部１０７が第２係止縁４８から離間し、さらにキャップ側の第２キャップロック部１０６が第２キャップ進入溝４９を通って方向へ引き抜かれる。また、これとほぼ同じタイミングでキャップ側の対向第２キャップロック部１０９の対向第２係止突部１１０も対向第２係止縁５２から離間される。したがって、第２キャップ１００に後方への引っ張り力を付与するだけで、第２キャップ１００を第２ハウジング４０から簡単に取り外すことができる。
【００４０】
また、第２キャップ１００を前方（図９に示す矢印方向）へ引っ張ると、後側第２係合部１１１Ｒの縦リブ１１１ＲＬが後側第１係合部８１Ｒの縦リブ８１ＲＬと双方の対向面（後側第２係合部１１１Ｒの縦リブの前面と後側第１係合部８１Ｒの縦リブの後面）同士を対面状に突き合わせるようにして干渉し、さらなる第２キャップ１００の引き抜き動作に伴い、第１キャップ７０が後側第２係合部１１１Ｒに押動されて引き抜かれる。したがって、第２キャップ１００を引き抜けば、これに連動して第１キャップ７０も同時に引き抜かれる。  
なお、取り外された第１及び第２キャップ７０，１００は再利用することが可能である。また、キャップ側の第１及び第２キャップロック部７６，１０６は、その撓み変形時に第１及び第２逃がし溝２２，５０，７４，１０４の溝面に当接可能とされ、もって過度撓みが規制されるようになっている。
【００４１】
以上説明したことから明らかなように本実施形態によれば、結合状態にあるキャップ７０，１００付きの両ハウジング１０，４０からキャップ７０，１００を取り外すに際し、第１キャップ７０を引き抜くと、この第１キャップ７０の前側第１係合部８１Ｆに前側第２係合部１１１Ｆが係合することによって第２キャップ１００も同時に引き抜かれ、第２キャップ１００を引く抜くと、この第２キャップ１００の後側第２係合部１１１Ｒに後側第１係合部８１Ｒが係合することによって第１キャップ７０も同時に引き抜かれる。したがって、夫々のキャップ７０，１００を個別に取り外さなくてもよくなり、作業性が良好に改善される。
【００４２】
両キャップ７０，１００の引き抜き時には、第１係合部８１Ｆ，８１Ｒと第２係合部１１１Ｆ，１１１Ｒの双方の対向面同士が突き合って当接するに過ぎないから、引き抜き後の両キャップ７０，１００を簡単に分離することができる。この場合、第１係合部８１Ｆ，８１Ｒと第２係合部１１１Ｆ，１１１Ｒがそれぞれ相手側のキャップ７０，１００の引き抜き方向で当接するから、両キャップ７０，１００に第１係合部８１Ｆ，８１Ｒと第２係合部１１１Ｆ，１１１Ｒ以外の係合部位を設ける必要がなく、両キャップ７０，１００の構成を簡略化できる。  
また、第１係合部８１Ｆ，８１Ｒと第２係合部１１１Ｆ，１１１Ｒが両ハウジング１０，４０の結合過程で互いに非干渉とされるから、両ハウジング１０，４０の円滑なスライド動作が保障される。さらに、第１係合部８１Ｆ，８１Ｒと第２係合部１１１Ｆ，１１１Ｒが両ハウジング１０，４０の結合時に両キャップ７０，１００の引き抜き方向で互いに近接または当接して配置されるから、両キャップ７０，１００のいずれか一方を引き抜くに伴い、他方を迅速かつ確実に追従して引き抜くことができる。
【００４３】
＜他の実施形態＞
本発明は上記記述及び図面によって説明した実施形態に限定されるものではなく、例えば次のような実施形態も本発明の技術的範囲に含まれる。  
（１）両ハウジングのもう一方の側面に別のハウジングを順次結合させることで、全部で３つ以上のハウジングを合体させてもよい。  
（２）第１係合部は第２キャップに別設された係合部位（第２係合部を除く）に第２キャップの引き抜き方向で係合可能な構成であってもよく、また、第２係合部は第１キャップに別設された係合部位（第１係合部を除く）に第１キャップの引き抜き方向で係合可能な構成であってもよい。  
（３）後側第１係合部と後側第２係合部の少なくとも一方は、横リブが省略あされて縦リブのみで構成されてもよい。
【図面の簡単な説明】
【００４４】
【図１】本発明の実施形態１において、第１及び第２のキャップを取り付けた第１及び第２ハウジングが結合した状態を示す正面図
【図２】第１及び第２のキャップを取り付けた第１及び第２ハウジングが結合した状態を示す平面図
【図３】第１キャップを取り付けた第１ハウジングの正面図
【図４】第１キャップを取り付けた第１ハウジングの平面図
【図５】第１キャップを取り付けた第１ハウジングの側面図
【図６】第２キャップを取り付けた第２ハウジングの正面図
【図７】第２キャップを取り付けた第２ハウジングの平面図
【図８】第２キャップを取り付けた第２ハウジングの側面図
【図９】第１及び第２キャップが互いに係止し合う状態を示す側断面図
【図１０】第１ハウジングの正面図
【図１１】第１ハウジングの底面図
【図１２】第２ハウジングの正面図
【図１３】第２ハウジングの底面図
【図１４】第１キャップの正面図
【図１５】第１キャップの側断面図
【図１６】第１キャップの側面図
【図１７】第２キャップの正面図
【図１８】第２キャップの側断面図
【図１９】第２キャップの側面図
【符号の説明】
【００４５】
Ｓ…コネクタ
１０…第１ハウジング
４０…第２ハウジング
７０…第１キャップ
８１Ｆ…前側第１係合部（第１係合部）
８１Ｒ…後側第１係合部（第１係合部）
１００…第２キャップ
１０１Ｆ…前側第２係合部（第２係合部）
１０１Ｒ…後側第２係合部（第２係合部）
【図１】
2009117048.tif 000003
【図２】
2009117048.tif 000004
【図３】
2009117048.tif 000005
【図４】
2009117048.tif 000006
【図５】
2009117048.tif 000007
【図６】
2009117048.tif 000008
【図７】
2009117048.tif 000009
【図８】
2009117048.tif 000010
【図９】
2009117048.tif 000011
【図１０】
2009117048.tif 000012
【図１１】
2009117048.tif 000013
【図１２】
2009117048.tif 000014
【図１３】
2009117048.tif 000015
【図１４】
2009117048.tif 000016
【図１５】
2009117048.tif 000017
【図１６】
2009117048.tif 000018
【図１７】
2009117048.tif 000019
【図１８】
2009117048.tif 000020
【図１９】
2009117048.tif 000021